(57)【要約】【課題】  ライニング管に形成した貫通孔を確実に閉塞し、長期間にわたって良好な止水性を確保することのできる閉塞部材および貫通孔の閉塞方法を提供する。【解決手段】  閉塞部材１は、管の内面から前記孔に嵌め込まれる本体部２と、本体部に取付けおよび取外し自在な蓋部３とを有する。本体部２は、一方が開口し他方が有底とされた略円筒状に形成されるとともに内周面に雌ねじ２１２が形成されている。本体部２の鍔部２３には、接着剤を溜める溜り溝２３２が設けられている。蓋部３は、本体部２の内周面に螺合する雄ねじ３３１が外周面に設けられている。【選択図】  図１
2015175487.tif 000002
【特許請求の範囲】
【請求項１】
管の内面に開口する孔を閉塞する閉塞部材であって、
管の内面側から前記孔に嵌め込まれる本体部と、前記本体部に取付けおよび取外し自在な蓋部とを有し、
前記本体部は、一方が開口し他方が有底とされた略円筒状に形成されるとともに内周面に雌ねじが形成され、開口の外周には前記管の内面に当接する鍔部を備え、この鍔部には前記管の内面との間に接着剤を溜める溜り溝が設けられ、
前記蓋部は、前記本体部の雌ねじに螺合する雄ねじが外周面に設けられており、
前記本体部に前記蓋部が螺合されて前記本体部の開口が閉止され、前記本体部の内側に中空空間が形成されることを特徴とする閉塞部材。
【請求項２】
請求項１に記載の閉塞部材であって、
前記本体部の底部外面に、該底部の中心から放射状に延びる複数本の凹溝が設けられたことを特徴とする閉塞部材。
【請求項３】
請求項１または２に記載の閉塞部材であって、
前記本体部の底部内面の中心に、該底部に貫通しない凹状の尖孔が設けられたことを特徴とする閉塞部材。
【請求項４】
請求項１〜３のいずれか一つの請求項に記載の閉塞部材であって、
前記本体部の外周面に雄ねじが形成されたことを特徴とする閉塞部材。
【請求項５】
請求項１〜３のいずれか一つの請求項に記載の閉塞部材であって、
前記本体部の外周面に多数の微小突起が形成されたことを特徴とする閉塞部材。
【請求項６】
既設管内にライニング管を施工する際に設置した支保材を撤去することにより、支保材が配置されていた箇所に、ライニング管を貫通し既設管の内面に達するように形成された支保孔を閉塞する支保孔の閉塞方法であって、
ライニング管の内面側から支保孔に嵌め込む本体部と、前記本体部に取り付ける蓋部とを有する閉塞部材を用い、
前記本体部は、一方が開口し他方が有底とされた略円筒体の内周面に雌ねじを備えるとともに、開口の外周にはライニング管の内面に当接する鍔部を備え、この鍔部にはライニング管の内面との間に接着剤を溜める溜り溝が設けられ、前記蓋部は、前記本体部の雌ねじに螺合する雄ねじが外周面に形成されており、
前記本体部の外周面と鍔部とに接着剤を塗布し、前記本体部を支保孔に嵌め込んで該支保孔の内面に接着するとともに前記鍔部をライニング管の内面に接着し、
前記本体部の雌ねじに前記蓋部の雄ねじを螺合して該本体部の開口を閉止することを特徴とする支保孔の閉塞方法。
【請求項７】
請求項６に記載の支保孔の閉塞方法であって、
支保孔に嵌め込んだ前記本体部の内側から、該本体部の底部中心に貫通する注入孔を形成し、
前記注入孔を介して前記本体部の外面と支保孔との間隙に充填剤を注入する工程を含むことを特徴とする支保孔の閉塞方法。
【請求項８】
請求項７に記載の支保孔の閉塞方法であって、
支保孔に固定されていた当初の閉塞部材の本体部を除去してライニング管の内面に支保孔を露出し、
この支保孔を閉塞する新たな閉塞部材として、当初の本体部よりも短い軸方向長さを有する本体部と、該本体部に取り付ける蓋部とを用い、
新たな本体部の外周面と鍔部とに接着剤を塗布し、前記本体部を支保孔に嵌め込んで接着し、
支保孔の内側に、前記本体部の底部と既設管の内面とで区画された充填剤注入用の間隙を形成することを特徴とする支保孔の閉塞方法。
【発明の詳細な説明】
【技術分野】
【０００１】
本発明は、閉塞部材およびこの閉塞部材を用いた支保孔の閉塞方法に関する。
【背景技術】
【０００２】
老朽化した下水道管などの既設管を更生するため、既設管内にライニング管を敷設し、既設管とライニング管との間隙に裏込め材を注入して両者を一体化することにより、既設管を更生する工法が広く行われている。
【０００３】
裏込め材を注入するに際しては、例えば特許文献１、２等に開示されるように、ライニング管の内部に支保工装置を設置する。支保工装置は、ライニング管を内面側から支持し、ライニング管の剛性を補い、裏込め材の注入圧によってもライニング管が座屈したり変形したりするのを防止する。また、支保工装置は、ライニング管を既設管の内部に固定して、裏込め材の注入によって既設管内でライニング管が浮上するのを防止する。
【０００４】
この種の支保工装置を用いる場合、ライニング管には、支保工装置の柱状の支保材を取り付けるための貫通孔が設けられる。貫通孔は、ライニング管の表裏に貫通して形成され、支保材が挿通される。既設管とライニング管との間隙に裏込め材を充填した後、支保材を含む支保工装置は全て取り外される。支保材を撤去した後には、ライニング管の内面に支保材の引抜き跡の凹状の支保孔が形成され、既設管の頂部内面にまで達している。従来、このような支保孔は、管路の内部から外部、および管路の外部から内部への通水を遮断するために、例えば特許文献３に開示されるような構成の閉塞部材によって閉塞処理されていた。
【先行技術文献】
【特許文献】
【０００５】
【特許文献１】特開平１０−１２１５６５号公報
【特許文献２】特開平７−２６８８５３号公報
【特許文献３】特開平９−２４２９３４号公報
【発明の概要】
【発明が解決しようとする課題】
【０００６】
前記従来の閉塞部材にあっては、側面にテーパーねじが設けられており、支保孔にねじ込んで閉塞するのに適しているものの、次に述べるような点において未だ改良の余地があった。
【０００７】
すなわち、ライニング管の頂部の貫通孔やその上方の支保材引き抜き跡に生じる凹部は、内径が５０ｍｍ程度であり、深さが１００〜２００ｍｍ程度と小さいものが多い。また、このような支保孔は、ライニング管の頂部の内面に形成されるため、その閉塞作業は上向き姿勢となる。そのため、支保孔の上方に充填剤を充填したり、その後、閉塞部材をねじ込みながら挿入したりする一連の閉塞作業を、効率よく短時間で行うことは困難であった。また、支保孔と閉塞部材との間に隙間を生じることなく精度よく閉塞することは、容易なものではなかった。このように、支保孔の閉塞作業は手間がかかって熟練を要することから、より簡単な作業で、隙間を生じることなく精度よく閉塞できる方法が求められた。
【０００８】
また、更生後の管路には高い外圧と内圧とが作用し、閉塞処理を施した支保孔に対しても、繰り返し内外圧の負荷と除荷とが発生することがある。支保孔に対し、内外圧の負荷や除荷に加え、地震等の地盤変動が発生したりすると、前記閉塞部材のねじ止め部分が徐々に緩み、漏水の要因となるおそれがあった。そこで、閉塞処理を施した管路を定期的に点検し、その際に必要に応じて閉塞部材を交換したり、補修したりするなどの対応を行っていた。このような支保孔の点検時にあっても、短時間で容易に閉塞処理を行うことができ、長期的に安定した止水性を確保できることが求められた。
【０００９】
本発明は、上記のような問題点にかんがみてなされたものであり、その目的とするところは、管路に形成された支保孔を確実に閉塞し、支保孔に対する接着強度および固定強度を高め、定期的な補修管理も容易に行うことができ、長期間にわたって良好な止水性を確保することのできる信頼性の高い閉塞部材および支保孔の閉塞方法を提供することにある。
【課題を解決するための手段】
【００１０】
前記の目的を達成するための本発明の解決手段は、管の内面に開口する孔を閉塞する閉塞部材を前提とする。この閉塞部材に対し、管の内面側から前記孔に嵌め込まれる本体部と、前記本体部に取付けおよび取外し自在な蓋部とを備えさせる。前記本体部は、一方が開口し他方が有底の略円筒状に形成するとともに内周面に雌ねじを形成し、開口の外周には前記管の内面に当接する鍔部を延設し、この鍔部には、前記管の内面との間に接着剤を溜める溜り溝を設けている。前記蓋部は、前記本体部の雌ねじに螺合する雄ねじを外周面に設けている。そして、前記本体部に前記蓋部を螺合して前記本体部の開口を閉止させ、前記本体部の内側に中空空間が形成されるように構成したことを特徴としている。
【００１１】
この特定事項により、管の内面に開口する孔に対して、本体部を取り付け、本体部の開口を蓋部によって閉止することで、孔を確実に閉塞することができる。本体部は、鍔部に接着剤の溜り溝を備えるので、本体部を接着剤により固定する際、少なくとも鍔部の溜り溝に接着剤が溜まるので、接着剤が外部にはみ出て接着性が低下するのを防ぐ。このため孔に対して本体部を確実に接着し、固定することができる。また、閉塞部材は、本体部の内側に蓋部で閉じられた中空空間を形成する構造であるので、従来のこの種の閉塞部材に比して充填剤等の充填量を減らすことができる。また、閉塞部材としての軽量化を図ることができ、管に対する閉塞部材の接着性を高めることができる。さらに、閉塞部材は、本体部に対して、蓋部を容易に取り付けたり取り外したりすることができるので、必要に応じて本体部から蓋部を取り外し、本体部を開放し、本体部の内側から修復処理を施すことができ、良好な止水性を維持することが可能となる。
【００１２】
前記閉塞部材のより具体的な構成として次のものが挙げられる。すなわち、前記閉塞部材として、前記本体部の底部外面に、該底部の中心から放射状に延びる複数本の凹溝を設けた構成としている。
【００１３】
これにより、本体部の底部中心に削孔すれば、複数本の凹溝に貫通させることができる。そのため、本体部の底部外面側に液状樹脂等を注入することができ、複数本の凹溝を通して周囲に拡散させることができる。
【００１４】
さらに、前記閉塞部材において、前記本体部の底部内面の中心に、該底部に貫通しない凹状の尖孔を設けることが好ましい。
【００１５】
これにより、本体部の底部中心に貫通する孔を形成する際に、この尖孔を目印とすることができる。尖孔は、削孔治具の先端部を受け入れて保持するので、本体部に対して削孔作業を容易に行うことができる。
【００１６】
また、前記閉塞部材として、前記本体部の外周面に雄ねじを形成することが好ましい。あるいは、前記本体部の外周面に多数の微小突起を形成してもよい。
【００１７】
これにより、本体部の外周面に塗布する接着剤の接着面積を増大させることができ、本体部を確実に接着し固定することができる。
【００１８】
上述した各解決手段に係る閉塞部材を使用した支保孔の閉塞方法も本発明の技術的思想の範疇である。すなわち、本発明は、既設管内にライニング管を施工する際に設置した支保材を撤去することにより、支保材が配置されていた箇所に、ライニング管を貫通し既設管の内面に達するように形成された支保孔を閉塞する支保孔の閉塞方法を対象とする。この閉塞方法には、ライニング管の内面側から支保孔に嵌め込む本体部と、前記本体部に取り付ける蓋部とを備えた閉塞部材を用いる。前記閉塞部材として、前記本体部は、一方が開口し他方が有底とされた略円筒状であって内周面に雌ねじが形成され、開口の外周にはライニング管の内面に当接する鍔部を備え、この鍔部には管の内面との間に接着剤を溜める溜り溝が設けられ、前記蓋部は、前記本体部の雌ねじに螺合する雄ねじが外周面に形成されている。そして、前記本体部の外周面と鍔部とに接着剤を塗布し、前記本体部を支保孔に嵌め込んで該支保孔の内面に接着するとともに前記鍔部をライニング管の内面に接着し、前記本体部の雌ねじに前記蓋部の雄ねじを螺合して該本体部の開口を閉止することを特徴としている。
【００１９】
この特定事項により、ライニング管の施工時に形成された支保孔を簡単な作業で確実に閉塞することができ、既設管の内部に、高い止水性を有する新規の管路を形成することができる。支保孔を閉塞した閉塞部材は、本体部の外周面と支保孔の内面との間、および鍔部とライニング管の内面との間に、接着剤を過不足なく介在させて十分に接着することができるので、長期にわたり安定的に固定されて、更生後の管路の止水性を担保するものとなる。
【００２０】
また、前記支保孔の閉塞方法として、支保孔に嵌め込んだ前記本体部の内側から、該本体部の底部中心に貫通する注入孔を形成し、前記注入孔を介して前記本体部の外面と支保孔との間隙に充填剤を注入する工程を含むように構成してもよい。
【００２１】
これにより、閉塞部材の本体部の外面と支保孔との間に空隙を生じることがあっても、支保孔に嵌め込んだ本体部に対して、底部に貫通する注入孔を形成し、この注入孔を介して本体部の外面側に充填剤を注入し、支保孔との間の空隙を埋めることができる。このように支保孔を閉塞した後の管路は、より一層止水性が高められ、閉塞部材と支保孔との高い一体性を確保することができる。したがって、本体部に対して閉塞部材の内外から高い水圧が作用しても、本体部が支保孔から外れたりずれたりすることがなく、漏水を生じることもなく、良好に支保孔を閉塞することができる。
【００２２】
さらに、前記支保孔の閉塞方法として、支保孔に固定されていた当初の閉塞部材の本体部を除去してライニング管の内面に支保孔を露出し、新たな閉塞部材を用いて閉塞してもよい。この場合、支保孔を閉塞する新たな閉塞部材として、当初の本体部よりも短い軸方向長さを有する本体部と、該本体部に取り付ける蓋部とを用いることが好ましい。そして、新たな本体部の外周面と鍔部とに接着剤を塗布し、前記本体部を支保孔に嵌め込んで接着し、支保孔の内側に、前記本体部の底部と既設管の内面とで区画された充填剤注入用の間隙を形成することが好ましい。
【００２３】
これにより、形成した充填剤注入用の間隙には、本体部の底部に形成した注入孔から充填剤を注入し、隙間なく充填することができる。閉塞部材を新たなものに交換した上で支保孔の間隙を充填する場合、支保孔に固定された本体部を介して充填作業を行うことができるので、作業が容易であり、充填作業の信頼性が高められ、閉塞部材を支保孔に対して強固に一体化して固定することができる。このように支保孔の閉塞方法により、必要に応じて支保孔の閉塞状態を修復することが容易となり、高い止水性が要求される管路を長期的に良好に閉塞した状態を維持することができる。
【発明の効果】
【００２４】
本発明では、管の内面側から孔に嵌め込まれる本体部と、前記本体部に取り付けられる蓋部とを備え、本体部の鍔部に接着剤の溜り溝を設け、本体部の内部に中空空間を形成する構成であるので、閉塞作業の簡便化および閉塞部材の軽量化を図ることができ、閉塞部材を管の孔に確実に接着し固定することができ、接着強度不足を招くおそれがない。
【００２５】
また、本発明の閉塞部材は、本体部の外周面に雄ねじまたは多数の微小突起を有するように構成したから、本体部の外周面と孔の内周面との接着面積を増大させることができ、接着強度をより一層高めることができ、長期的に安定した閉塞構造を保持することができる。
【００２６】
また、本発明の支保孔の閉塞方法は、本体部の外周面と鍔部とに接着剤を塗布し、本体部を支保孔に嵌め込んで支保孔に固定し、本体部に蓋部を螺合して本体部を閉止するように構成したから、支保孔に対して本体部を確実に接着固定し、高い止水性を確保することができる。また、蓋部を取り外せば本体部の内側から各種作業を行うことができ、必要に応じた補修管理も容易に施すことができる。
【図面の簡単な説明】
【００２７】
【図１】本発明の実施形態１に係る閉塞部材を示す斜視図である。
【図２】実施形態１に係る閉塞部材の側面図である。
【図３】前記閉塞部材における本体部を示す断面図である。
【図４】図３の矢符Ａ方向から見た本体部を示す図である。
【図５】図３の矢符Ｂ方向から見た本体部を示す図である。
【図６】前記閉塞部材における蓋部を示し、図６（ａ）は側面図、図６（ｂ）は図６（ａ）の矢符Ｃ方向から見た蓋部を示す図、図６（ｃ）は図６（ａ）の矢符Ｄ方向から見た蓋部を示す図である。
【図７】実施形態１に係る閉塞部材の本体部の他の例を示す断面図である。
【図８】本発明の実施形態２に係る閉塞部材を示す斜視図である。
【図９】実施形態２に係る閉塞部材の側面図である。
【図１０】前記閉塞部材における本体部を示す断面図である。
【図１１】図１０の矢符Ｅ方向から見た本体部を示す図である。
【図１２】図１０の矢符Ｆ方向から見た本体部を示す図である。
【図１３】実施形態２に係る閉塞部材の本体部の他の例を示す断面図である。
【図１４】本発明に係る支保孔の閉塞方法の一工程を示す説明図である。
【図１５】前記閉塞方法により支保孔を閉塞した状態を示す説明図である。
【図１６】本発明に係る支保孔の閉塞方法の他の形態を示す説明図である。
【図１７】図１６の後工程を示す説明図である。
【図１８】図１７の後工程を示す説明図である。
【発明を実施するための形態】
【００２８】
以下、本発明の実施の形態に係る閉塞部材およびこの閉塞部材を用いた支保孔の閉塞方法について、図面を参照しつつ説明する。
【００２９】
（実施形態１）
図１〜図７は本発明の実施形態１に係る閉塞部材を示している。図１は閉塞部材の斜視図、図２は閉塞部材の側面図である。図３は実施形態１の閉塞部材における本体部を示す断面図、図４は図３の矢符Ａ方向から見た本体部を示す図、図５は図３の矢符Ｂ方向から見た本体部を示す図である。また、図６は閉塞部材における蓋部を示し、図６（ａ）は側面図、図６（ｂ）は図６（ａ）の矢符Ｃ方向から見た蓋部を示す図、図６（ｃ）は図６（ａ）の矢符Ｄ方向から見た蓋部を示す図である。
【００３０】
閉塞部材１は、管に形成された孔を閉塞するのに用いられ、例えば硬質ポリ塩化ビニル樹脂等の剛性、耐衝撃性、耐食性、および耐候性等に優れた樹脂材の成形品からなる。図１に示すように、閉塞部材１は、管の孔に嵌め込まれる本体部２と、本体部２に対して取付けおよび取外し可能な蓋部３とを有する。
【００３１】
本体部２は、一方が開口し他方が有底とされた略円筒状の挿入部２１を備えている。挿入部２１の外周面には雄ねじ２１１が形成され、内周面には雌ねじ２１２が形成されている。挿入部２１の外径は、この本体部２を嵌め込む孔の内径に対して同等の径であるか、または孔の内径よりも僅かに大きい径にて形成される。
【００３２】
図２に示すように、本体部２は、挿入部２１の開口の外周に、外方に延設された鍔部２３を備えている。鍔部２３は、管の内面に当接する部分となる。
【００３３】
図３に示すように、鍔部２３は、嵌め込まれる管との当接面２３１に、接着剤を溜めるための溜り溝２３２が設けられている。図５に示すように、この溜り溝２３２は、周方向に連続し、環状に形成されている。溜り溝２３２は、接着剤の使用量、硬化速度、および接着力等を考慮して、例えば、溝幅が３〜５ｍｍとされることが好ましく、溝深さは０．５ｍｍ程度とされることが好ましい。当接面２３１の反対面は、外方ほど薄肉に形成され、滑らかなテーパー状に形成されている。
【００３４】
本体部２の開口と反対側に位置する先端部２１３は、外面が平滑な平面状に形成されている。また、先端部２１３の内面には、図４に示すように、中心部に六角レンチ等の工具を差し込むための多角形状の操作凹部２１４が設けられている。操作凹部２１４は、本体部２を孔に嵌め込む際に使用され、図示しない工具先端を差し込んで本体部２を回転させることができる。
【００３５】
さらに、先端部２１３の内面には、ちょうど操作凹部２１４の中心部分に、凹状の尖孔２１５が形成されている。図３に示されるように、尖孔２１５は、先端部２１３の外面に貫通しない円錐形状の凹部として形成されている。尖孔２１５は、この挿入部２１の先端部２１３に貫通孔を形成する際、電気ドリル等の削孔工具の先端部を受け入れ、削孔を容易にする作用をなす。
【００３６】
なお、挿入部２１の外周面に形成される雄ねじ２１１は、管用平行ねじであることが好ましく、挿入部２１の内周面に形成される雌ねじ２１２は、管用テーパーねじであることが好ましい。また、挿入部２１の外周面には管用ねじが形成されるに限らず、多数の起伏のある凹凸状に形成されてもよい。すなわち、挿入部２１の外周面には、例えば、管用ねじのねじ山と同等の大きさを有して、山形状または三角形状の断面形状を有する多数の微小突起が形成されてもよい。
【００３７】
蓋部３は、本体部２の開口に嵌め込まれて、この開口を閉止する。図６に示すように、蓋部３は、円盤状の基板３１と、基板３１に円筒状または円柱状に立設された係合部３３を備えている。係合部３３の外径は、挿入部２１の内径に対応させて形成されている。また、係合部３３の外周面には、挿入部２１の雌ねじ２１２に螺合される雄ねじ３３１が形成されている。係合部３３は、その軸方向の長さが、螺合される挿入部２１の内側の軸方向長さよりも短く、挿入部２１の先端部２１３の内面まで達しない短筒状に形成されている。
【００３８】
蓋部３の基板３１の外面には、回転操作用工具の先端部をあてがうための操作凹部３１１が形成されている。この操作凹部３１１は、例えばマイナスドライバ等の工具の先端部を係合させられるよう、一条の浅い溝として形成されている。
【００３９】
蓋部３は、係合部３３の雄ねじ３３１を本体部２の雌ねじ２１２に螺合させることで、基板３１が本体部２の開口端部に納まり、本体部２の開口を閉止する。したがって、蓋部３は、本体部２に対して容易に取り付けることができ、また容易に取り外すことができる構成とされている。蓋部３を本体部２に取り付けると、本体部２の内側には蓋部３により閉塞された中空空間が形成される。このため、閉塞部材１は中空の部材とされて、従来のこの種の閉塞部材に比べて格段に軽量化を図ることができる。
【００４０】
蓋部３に対して、本体部２は、複数種類の大きさを備えて形成されることが好ましい。例えば、本体部２は、挿入部２１における軸方向の長さが、さらに長く形成されても、また逆に短く形成されてもよい。
【００４１】
図７（ａ）および図７（ｂ）は、本体部２の他の例を示す断面図である。これらの本体部２は、図３に示した本体部２と構造が共通しており、挿入部２１の軸方向の長さだけが異なっている。図７（ａ）に示す本体部２は、図３に示した本体部２よりも軸方向の長さが長く形成されている。図７（ｂ）に示す本体部２は、図７（ａ）に示す本体部２よりも軸方向の長さがさらに長く形成されている。本体部２が複数種類の大きさで形成されていることにより、閉塞部材１を嵌め込む孔の軸方向の長さに対応させて、本体部２を適宜選択して用いることができる。いずれの本体部２に対しても、図６に示す蓋部３を螺合させて閉止することができ、蓋部３を共通して使用することが可能である。
【００４２】
（実施形態２）
図８〜図１３は、本発明の実施形態２に係る閉塞部材１を示している。図８は閉塞部材１の斜視図、図９は閉塞部材１の側面図、図１０は閉塞部材１における本体部２を示す断面図である。図１１は図１０の矢符Ｅ方向から見た本体部２を示す図、図１２は、図９の矢符Ｆ方向から見た本体部２を示す図、図１３は本体部２の他の二例を示す断面図である。
【００４３】
この形態に係る閉塞部材１は、本体部２に特徴部分を有しており、蓋部３の構成は前記実施形態１で示したものと共通している。そのため、以下の説明では、本体部２の構成について詳述し、その他の構成については実施形態１と共通の符号を用いて詳細な説明を省略する。
【００４４】
図８に示すように、本体部２は、先端部２１３に複数本の凹溝２１６を備えている。凹溝２１６は、本体部２の挿入部２１において、先端部２１３の外面側に形成されている。図１０に示すように、各凹溝２１６は、断面が半円形状に形成されている。ただし、凹溝２１６の断面形状は、半円形状とされることが好ましいが、これに限定されず、矩形状であっても、また他のどのような形状とされてもよい。
【００４５】
また、複数本の凹溝２１６は、図８に示されるように、先端部２１３の外面の中心部から外方へ放射状に延びるように配設されている。先端部２１３の内面側には、中心部に尖孔２１５が形成されている。この尖孔２１５を利用して先端部２１３に貫通孔を形成すると、その貫通孔は、ちょうど複数本の凹溝２１６が交差する中心部に貫通する。そのため、例えば、本体部２の内側から貫通孔を介して液状充填剤等を注入すると、複数本の凹溝２１６に沿って拡散され、本体部２の外面側に均等に充填されるものとなる。
【００４６】
このように形成される本体部２は、挿入部２１の内面に、操作凹部２１４や雌ねじ２１２を有しており、外面に雄ねじ２１１を有している。本体部２の鍔部２３には、周方向に接着剤の溜り溝２３２が設けられている。
【００４７】
実施形態２に係る閉塞部材１にあっても、共通の蓋部３に対して、本体部２が複数種類の大きさを備えて形成されることが好ましい。例えば、図１３（ａ）に示すように、本体部２の挿入部２１は、図１０に示した挿入部２１よりも軸方向の長さが長く形成され、図１３（ｂ）に示す挿入部２１は、図１３（ａ）に示す挿入部２１よりも軸方向の長さがさらに長く形成されている。
【００４８】
これにより、閉塞部材１を嵌め込む孔の軸方向の長さに対応させて、これらの複数種類の本体部２を適宜選択して用いることができる。いずれの本体部２に対しても、図６に示す蓋部３を螺合させて閉止することができる。
【００４９】
なお、閉塞部材１が取り付けられる対象となる管は、断面円形状の管であるに限らず、断面矩形状の管であってもよい。また、本体部２の外周面には、雄ねじ２１１が形成されるに限らず、多数の微小突起が形成されてもよい。
【００５０】
（閉塞方法）
次に、閉塞部材１を使用した支保孔の閉塞方法について、図面を参照しつつ説明する。
【００５１】
図１４および図１５は本発明の実施形態に係る支保孔の閉塞方法を示し、図１４はその一工程を示す説明図、図１５はこの閉塞方法により支保孔を閉塞した状態を示す説明図である。
【００５２】
支保孔７の閉塞方法の説明に先立ち、支保孔７について簡単に説明する。更生対象の既設管４には、内部にライニング管５が挿入されて配置される。ライニング管５の頂部には、管軸方向に沿って、例えば２ｍ程度のピッチで複数の貫通孔５１を形成する。次いで、ライニング管５の内部に支保工装置を設置する。形成した貫通孔５１には、支保工装置の一部材である図示しない支保材を挿通させる。これにより、既設管４内に支保材を鉛直方向に設置し、ライニング管５を支持させる。その後、既設管４とライニング管５との間にモルタル等の裏込め材６を充填する。裏込め材６が硬化し、既設管４とライニング管５とが一体化した後、支保材を含めて支保工装置の全体を撤去する。
【００５３】
支保材を撤去したライニング管５内には、図１４に示すように、ライニング管５に貫通し、既設管４の内面にまで達する支保孔７が形成されている。本発明に係る閉塞方法では、このような支保材の引き抜き跡として形成される支保孔７を、閉塞部材１を用いて次のような手順により閉塞する。
【００５４】
閉塞部材１として、例えば図７（ａ）に示した本体部２と、図６に示した蓋部３とを組み合わせて使用する。本体部２の挿入部２１は、支保孔７の内径よりも僅かに大きい外径を有して形成されている。
【００５５】
まず、本体部２の挿入部２１の外周面と鍔部２３の当接面２３１とに接着剤を塗布する。挿入部２１の外周面には、雄ねじ２１１または多数の微小突起が形成されているので、接着面積を十分に確保することができる。用いる接着剤は、閉塞部材１を構成する材質に合わせて選定する必要があるが、例えば、エポキシ系接着剤、ウレタン系接着剤、ビニルエステル樹脂系接着剤、アクリル系接着剤、合成ゴム系接着剤、シアノアクリレート系接着剤などを好適に使用することができる。
【００５６】
次に、本体部２を、ライニング管５の内面側から支保孔７に嵌め込む。本体部２の挿入部２１は、支保孔７の内径より僅かに大きい内径を有するので、本体部２を支保孔７に対して圧入して、支保孔７の開口縁部に鍔部２３を係止させる。このとき、挿入部２１の内面の操作凹部２１４を利用し、六角レンチ等の工具を操作凹部２１４に差し込んで、本体部２を回転させつつ支保孔７にねじ込むことができる。
【００５７】
これにより、本体部２の挿入部２１は、支保孔７の内側に嵌め込まれ、鍔部２３はライニング管５の内面に密着する。挿入部２１の先端部２１３は既設管４の内面に当接する。挿入部２１の外周面に塗布した接着剤は、挿入部２１の外周面の雄ねじ２１１または多数の微小突起に保持されて、支保孔７との間を満たし、両者を確実に接着する。また、鍔部２３は接着剤の溜り溝２３２を有するので、鍔部２３とライニング管５の内面との間に接着剤が十分に介在して両者を接着し、接着剤が外部にはみ出て接着力が低下するのを防ぐ。
【００５８】
次に、図１５に示すように、本体部２の雌ねじ２１２に蓋部３の雄ねじ３３１（図１参照）を螺合し、本体部２の開口を閉止する。蓋部３の基板３１の外面には、操作凹部３１１が設けられているので、この操作凹部３１１に、例えばマイナスドライバ等の工具先端が係合させて蓋部３を回転させる。
【００５９】
以上により、ライニング管５の内面に開口していた支保孔７を、閉塞部材１により良好に閉塞することができる。
【００６０】
また、閉塞部材１を用いて、図１６〜図１８に示すように支保孔７を閉塞してもよい。図１６は、支保孔７の閉塞方法の他の実施形態を示す説明図、図１７は図１６の後工程を示す説明図、図１８は図１７の後工程を示す説明図である。
【００６１】
ライニング管５内には、図１６に示すように、ライニング管５に貫通し、既設管４の内面にまで達する支保孔７が形成されている。この支保孔７は、前記と同様に、支保材を撤去したことによる引き抜き跡の孔であっても、また、支保孔７に固定されていた閉塞部材１を除去した後の孔であってもよい。ライニング管５内の定期的な点検によって支保孔７に補修の必要性が確認された場合などには、閉塞部材１を除去してライニング管５の内面に支保孔７を露出した後、以下に説明する作業を行うことができる。
【００６２】
支保孔７を閉塞する閉塞部材１として、例えば図１０または図１３（ａ）に示した本体部２と、図６に示した蓋部３とを組み合わせて使用する。補修のために、閉塞部材１を新たなものに取り替える場合には、当初の閉塞部材１の本体部２よりも短い軸方向長さを有する本体部２を用いる。
【００６３】
まず、選定した本体部２の挿入部２１の外周面と、鍔部２３の当接面２３１とに接着剤を塗布する。図１６に示すように、本体部２を支保孔７にねじ込んで接着する。接着剤は、挿入部２１の外周面の雄ねじ２１１または多数の微小突起に保持され、支保孔７と本体部２とを接着し固定する。また、鍔部２３の接着剤は、溜り溝２３２に保持されて、本体部２とライニング管５の内面との間に介在し、これらを確実に接着し固定する。
【００６４】
このように本体部２を固定することで、図１７に示すように、支保孔７の内側に、本体部２の先端部２１３と既設管４の内面とで区画された充填剤注入用の間隙７１を形成する。続いて、本体部２の内側から、本体部２の先端部２１３の中心部に注入孔２１７を形成する。
【００６５】
先端部２１３の内面には、ちょうど操作凹部２１４の中心部分に尖孔２１５が形成されているので、尖孔２１５に電気ドリル等の削孔工具の先端部をもみ込む。これにより、本体部２の先端部２１３の外面に貫通する注入孔２１７を形成する。本体部２に尖孔２１５が設けられていることにより、狭小なスペースでの上向き作業であっても、適確な位置に正確かつ容易に注入孔２１７を形成することができる。
【００６６】
次に、図１８に示すように、支保孔７に形成した間隙７１に、本体部２の注入孔２１７を介して充填剤８を注入し、隙間なく充填する。注入した充填剤８は、本体部２の外面の複数本の凹溝２１６を通して中心部から放射状に拡がり、間隙７１に均等に充填される。仮に、この間隙７１が支保孔７の軸方向に長さを有しないものであって僅かな隙間であったとしても、充填剤８は注入孔２１７の周辺には滞留せず、複数本の凹溝２１６を通して周囲に拡散され、間隙７１内を隙間なく充填するものとなる。
【００６７】
充填剤８は、閉塞部材１の本体部２と既設管４との一体化を図ることのできる液状硬化性材料であればよい。例えば、充填剤８として液状の硬化性合成樹脂材を使用することができ、本体部２に塗布する接着剤と同様の接着剤を使用することもできる。
【００６８】
その後、本体部２に蓋部３を螺合させて閉止することで、支保孔７が良好に閉塞される。
【００６９】
例えば、経年変化により、閉塞部材１の本体部２の外面と支保孔７との間に空隙を生じることがあれば、支保孔７に取り付けられている閉塞部材１の蓋部３を取り外し、本体部２に注入孔２１７を形成し、その注入孔２１７を介して充填剤８を注入する。これにより、本体部２と支保孔７との間の空隙を容易に埋める補修を行うことができる。
【００７０】
また、閉塞部材１を新たなものに交換する場合であっても、前記のような作業によって、支保孔７に新たな本体部２を固定し、支保孔７の内側と本体部２との間隙７１を充填剤８で確実に充填することができる。これにより、新たな閉塞部材１を支保孔７に対して強固に一体化して固定することができ、支保孔７を補修することができる。
【００７１】
以上のような支保孔７の閉塞方法によって、閉塞部材１と支保孔７との高い一体性が確保され、支保孔７を閉塞後の管路は十分な止水性を備えたものとすることができる。ライニング管５により更生された管路は、地下水等の影響で外部から高い水圧が作用しても、閉塞部材１が支保孔７から外れたりずれたりすることがなく、漏水を生じることもなく、流路を良好に維持することができる。また、大雨等で管路の流水量が一時的に増加し、内部の水圧が高まる状況となっても、管路の外部への漏水を確実に防止することができる。さらに、必要に応じて支保孔７の閉塞状態を容易に修復することができるので、高い止水性が要求される管路を長期的に良好な閉塞状態で維持していくことが可能となる。
【００７２】
なお、本発明において、既設管４としては、特に限定されるものではなく、例えば、ヒューム管、コンクリート管、鉄筋コンクリート管、鋼管等であって上水管、下水管等の各種の用途に使用されるものである。
【００７３】
また、本発明において、ライニング管５としては、従来からライニング管５に使用されているものがそのまま使用でき、特に限定されるものではない。例えば、ライニング管５には、合成樹脂製帯状体を螺旋状に巻回して形成する螺旋管などが好ましく、その材質として、例えば、硬質塩化ビニル樹脂、ポリエチレン、ポリプロピレン、ポリフェニレンサルファイド（ＰＰＳ）、ナイロン、ＡＢＳ樹脂、ＦＲＰ等の合成樹脂が挙げられる。
【００７４】
また、本発明において、裏込め材６としては、従来から既設管４の更生工法に使用されているものがそのまま使用でき、特に限定されるものではないが、例えば、セメントミルク、発泡モルタル等のセメントモルタル等を使用することができる。
【産業上の利用可能性】
【００７５】
本発明は、管路に形成された孔を内面側から閉塞するのに好適な閉塞部材および閉塞方法として利用可能である。
【符号の説明】
【００７６】
１      閉塞部材
２      本体部
２１    挿入部
２１１  雄ねじ
２１２  雌ねじ
２１３  先端部
２１４  操作凹部
２１５  尖孔
２１６  凹溝
２１７  注入孔
２３    鍔部
２３１  当接面
２３２  溜り溝
３      蓋部
３１    基板
３１１  操作凹部
３３    係合部
３３１  雄ねじ
４      既設管
５      ライニング管
６      裏込め材
７      支保孔
７１    間隙
８      充填剤
【図１】
2015175487.tif 000003
【図２】
2015175487.tif 000004
【図３】
2015175487.tif 000005
【図４】
2015175487.tif 000006
【図５】
2015175487.tif 000007
【図６】
2015175487.tif 000008
【図７】
2015175487.tif 000009
【図８】
2015175487.tif 000010
【図９】
2015175487.tif 000011
【図１０】
2015175487.tif 000012
【図１１】
2015175487.tif 000013
【図１２】
2015175487.tif 000014
【図１３】
2015175487.tif 000015
【図１４】
2015175487.tif 000016
【図１５】
2015175487.tif 000017
【図１６】
2015175487.tif 000018
【図１７】
2015175487.tif 000019
【図１８】
2015175487.tif 000020